(57)【要約】【課題】施工期間を短縮することができ、しかも十分な強度が得られて、小型で安全性の向上を図ることができる防護柵用プレキャスト連続基礎を提供すること。【解決手段】ガードレールなどの防護柵を設置するときに用いるもので、所定長さの直方プレキャストコンクリートブロック体２を複数個具え、これらコンクリートブロック体は、上面に防護柵支柱を嵌入する穴５を有するとともに、その長手方向の両端部に係合部を有し、隣接して配置されるコンクリートブロック体の対向端部にある前記係合部同士が係合されて直列状に連結されていることを特徴とする。【選択図】　　　図３
2004084184.tif 000002
【特許請求の範囲】
【請求項１】
ガードレールなどの防護柵を設置するときに用いるもので、所定長さの直方プレキャストコンクリートブロック体を複数個具え、これらコンクリートブロック体は、上面に防護柵支柱を嵌入する穴を有するとともに、その長手方向の両端部に係合部を有し、隣接して配置されるコンクリートブロック体の対向端部にある前記係合部同士が係合されて直列状に連結されていることを特徴とする防護柵用プレキャスト連続基礎。
【請求項２】
コンクリートブロック体が、下部の長さ方向の少なくとも一側が所定の幅、外側に張り出している請求項１記載の防護柵用プレキャスト連続基礎。
【請求項３】
係合部が、嵌合凹部であり、隣接して配置されるコンクリートブロック体の対向端部にある嵌合凹部間にプレキャストコンクリートブロックが嵌合されて連結される請求項１又は２記載の防護柵用プレキャスト連続基礎。
【請求項４】
嵌合凹部が、上面及び端面のみ開口した有底の凹部であり、該凹部にプレキャストコンクリートブロックがその上面をコンクリートブロック体の上面と面一にして載置され嵌合されている請求項３記載の防護柵用プレキャスト連続基礎。
【請求項５】
係合部が、コンクリートブロック体の一端部側が嵌合凹部で、同他端部側が嵌合突部であり、隣接して配置されるコンクリートブロック体の対向端部にある嵌合凹部と嵌合突部が嵌合されて連結される請求項１又は２記載の防護柵用プレキャスト連続基礎。
【請求項６】
コンクリートブロック体が、その上面を地表に現出させて土中に埋設されている請求項１ないし５記載の防護柵用プレキャスト連続基礎。
【発明の詳細な説明】
【０００１】
【発明の属する技術分野】
この発明は、道路脇に設置されるガードレールなどの防護柵用プレキャスト連続基礎に関するものである。
【０００２】
【従来の技術】
従来、この種の防護柵用コンクリート基礎は、設置現場で捨てコンクリートを打設した後に、その上に基礎本体を打設して造られており、両者は不連続であって、一体構造物として成形されていない。
【０００３】
ところで、前記のようなコンクリート基礎を造るには、型枠を用いた現場打ち工法が採用されてきた。現場打ちでは、型枠の設置、捨てコンクリート（均しコンクリート）及び基礎本体の個別施工、コンクリートの養生などに時間を要し、十分な強度が得られるまで捨てコンクリートと基礎本体を供用できない、あるいは強度的に余裕のない状態で供用していた。また、コンクリート基礎が設置される個所は比較的路側の幅員等に制限があり、十分な大きさの構造とできない箇所も多く、設置において問題となっていた。
【０００４】
【発明が解決しようとする課題】
そこでこの発明は、前記のような従来の問題点を解決し、防護柵を設置する連続基礎をプレキャスト構造とすることによって、施工期間を短縮することができ、しかも十分な強度が得られて、小型で安全性の向上を図ることができる防護柵用プレキャスト連続基礎を提供することを目的とする。
【０００５】
【課題を解決するための手段】
前記目的を達成するため、請求項１に記載の発明は、ガードレールなどの防護柵を設置するときに用いるもので、所定長さの直方プレキャストコンクリートブロック体を複数個具え、これらコンクリートブロック体は、上面に防護柵支柱を嵌入する穴を有するとともに、その長手方向の両端部に係合部を有し、隣接して配置されるコンクリートブロック体の対向端部にある前記係合部同士が係合されて直列状に連結されていることを特徴とする。
【０００６】
請求項２に記載の発明は、請求項１において、コンクリートブロック体が、下部の長さ方向の少なくとも一側が所定の幅、外側に張り出している。
【０００７】
請求項３に記載の発明は、請求項１又は２において、係合部が、嵌合凹部であり、隣接して配置されるコンクリートブロック体の対向端部にある嵌合凹部間にプレキャストコンクリートブロックが嵌合されて連結される。請求項４に記載の発明は、請求項３において、嵌合凹部が、上面及び端面のみ開口した有底の凹部であり、該凹部にプレキャストコンクリートブロックがその上面をコンクリートブロック体の上面と面一にして載置され嵌合されている。
【０００８】
請求項５に記載の発明は、請求項１又は２において、係合部が、コンクリートブロック体の一端部側が嵌合凹部で、同他端部側が嵌合突部であり、隣接して配置されるコンクリートブロック体の対向端部にある嵌合凹部と嵌合突部が嵌合されて連結される。
【０００９】
請求項６に記載の発明は、請求項１ないし５において、コンクリートブロック体が、その上面を地表に現出させて土中に埋設されている。
【００１０】
【発明の実施の形態】
この発明の実施の形態を、添付図面を参照して説明する。図１は防護柵としてガードレールを道路脇に設置した例を示す斜視図、図２はその断面図である。１はプレキャスト連続基礎で、図３に示すように所定長さＬ（例えば４ｍ）の直方プレキャストコンクリートブロック体２を複数個具え、これらコンクリートブロック体２の上面を地表に現出させて道路脇の土中に埋設されている。
【００１１】
コンクリートブロック体２は、図４にも示すように工場あるいは工事現場で注型し、予め製作されたプレキャスト構造体からなるもので、従来の捨てコンクリートの上に基礎本体が打設されたような形に一体成形されている。すなわち、下部の長さ方向の両側に所定の幅、外側に張り出した張り出し部３が設けられている。張り出し部３は高さｈが１０ｃｍ程度、幅ｗが１０ｃｍ程度となっており、この張り出しによって土のせん断抵抗及び質量による抵抗、さらには回転モーメントの増加が期待できるようになっている。条件によっては、張り出し部３は一側だけの張り出しでもよいし、または張り出し部３がなくてもよい。
【００１２】
コンクリートブロック体２の上面にはガードレール支柱Ａを嵌入する建て込み穴５が複数個設けられている。建て込み穴５はガードレール支柱Ａの径よりやや大きい内径の穴であることが好ましいが、後記のようにプレキャスト連続基礎１を傾斜設置するときにも対応可能なように２倍以上の内径としてもよい。また、コンクリートブロック体２の長手方向の両端部には係合部としての嵌合凹部６が設けられている。嵌合凹部６は、上面及び端面のみ開口した有底の凹部であり、該凹部に連結用のプレキャストコンクリートブロック７がその上面をコンクリートブロック体の上面と面一にして載置され嵌合されている。コンクリートブロック７が隣接して配置されるコンクリートブロック体２の対向端部にある嵌合凹部６間に嵌合されると、コンクリートブロック体２の対向端面が突き合って嵌合隙間を埋めるようになっている。
【００１３】
道路脇にプレキャスト連続基礎１を設置するには、必要数のコンクリートブロック体２を例えば工場から運び込む一方、設置現場で所要の大きさの埋設穴を掘削し、該穴の中でコンクリートブロック体２を配置するとともに、その対向端部にある嵌合凹部６間にコンクリートブロック７を嵌合しながら順次、直列状に連結していく。図３は前記のようにして連結されたプレキャスト連続基礎１を示す。前記の連結に際して、嵌合されるコンクリートブロック７が嵌合凹部６の底面で受け止められ載置されるので、施工の作業性が向上するとともに、コンクリートブロック７の上面とコンクリートブロック体２の上面が面一となるように気にする必要なく達成されて、外観上見栄えのよいものとなる。そして、埋設穴を埋め戻すとプレキャスト連続基礎１は図１，２に示すようにコンクリートブロック体２の上面を地表に現出させて道路脇の土中に埋設された状態となる。しかる後、プレキャスト連続基礎１のコンクリートブロック体２の上面に形成された建て込み穴に５にガードレール支柱Ａを嵌入し、嵌合隙間をモルタル詰めとして固着させると、該支柱で支持されたガードレールＢが該プレキャスト連続基礎１上に設置されることとなる。
【００１４】
前記では土中に埋設させた例を示したが、必ずしも埋設する必要はなく、例えば図３のように連結された状態のプレキャスト連続基礎１を工事期間中の道路脇に設置して仮設防護柵として使用することも可能である。しかも、道路脇が傾斜面であるときは図５に示すように建て込み穴５を大きくすることにより、ガードレール支柱Ａを垂直向きに立設することができ、傾斜面へのガードレールＢの設置を可能としている。
【００１５】
図６はコンクリートブロック体の変形例であり、このコンクリートブロック体１２は、全体の形状及び建て込み穴５等はコンクリートブロック体２と同じであるが、係合部の構成が異なる。すなわち、コンクリートブロック体１２の一端部側が嵌合凹部１６に形成され、同他端部側が嵌合突部１７に形成されており、隣接して配置されるコンクリートブロック体１２，１２の対向端部にある嵌合凹部１６と嵌合突部１７が嵌合されて連結されて、プレキャスト連続基礎が造られるようになっている。したがって、この場合には前記のような連結用コンクリートブロック７がいらなくなる。そのほか、設置に際して埋設されことや、仮設でも使用可能であることなどは、前記のコンクリートブロック体２と同様であるので、同様の部分には同一符号を付して説明を省略する。
【００１６】
尚、実施の形態で示したコンクリートブロック体２，１２の係合による連結構造は、一例にすぎず、請求項に記載した範囲でほかの構造としてもよい。また、コンクリートブロック体２，１２の全体形状や各部の寸法、建て込み穴５の個数等も任意であり、図示したものに限定されるものではない。
【００１７】
【発明の効果】
この発明は前記のようであって、防護柵を設置する連続基礎をプレキャスト構造としたので、設置に際する施工期間を短縮することができる。また、従来の捨てコンクリートと基礎本体が一体化した構造であるので、十分な強度が得られるし、コンクリートブロック体の下部が張り出しているものにあっては、その張り出しによって土のせん断抵抗及び質量による抵抗、さらには回転モーメントの増加も期待することができる。しかも、コンクリートブロック体の係合による連結もきわめて簡単で容易であり、連結ボルトなど格別な連結部品を必要としない等、施工費も安価となる。また、埋設することなく、そのままの状態で仮設することもでき、例えば工事期間中には便利なものとなるとともに、小型で安全性の向上も図れるという優れた効果がある。
【図面の簡単な説明】
【図１】この発明の一実施の形態であって、防護柵としてガードレールを道路脇に設置した例を示す斜視図である。
【図２】同上の断面図である。
【図３】プレキャスト連続基礎の斜視図である。
【図４】直方プレキャストコンクリートブロック体とコンクリートブロックの嵌合連結状態を示す斜視図である。
【図５】プレキャスト連続基礎を傾斜設置した例を示す図面である。
【図６】直方プレキャストコンクリートブロック体の変形例を示す斜視図である。
【符号の説明】
１　プレキャスト連続基礎
２，１２　直方プレキャストコンクリートブロック体
３　張り出し部
５　建て込み穴
６　嵌合凹部
７　プレキャストコンクリートブロック
１６　嵌合凹部
１７　嵌合突部
Ａ　ガードレール支柱
Ｂ　ガードレール
【図１】
2004084184.tif 000003
【図２】
2004084184.tif 000004
【図３】
2004084184.tif 000005
【図４】
2004084184.tif 000006
【図５】
2004084184.tif 000007
【図６】
2004084184.tif 000008